(57)【要約】本発明に開示のデータ監査方法は、携帯端末に予め設定の監査アプリケーションプログラムを起動し、監査アプリケーションプログラムの表示インターフェイスに監査請求が受信されている場合、監査請求に対応する発起者が予め設定の監査人物であるかを判断し、監査請求に対応する発起者が予め設定の監査人物であるとともに監査請求に対応する監査任務が予め設定の監査任務である場合、配分指令を受信して監査任務に対して配分処理を行い、監査請求に対応する発起者が予め設定の監査人物であるとともに監査請求に対応する監査任務が予め設定の監査任務でない場合、監査任務を転出または配分することを確定した後、監査任務に対して相応の転出または配分を行う。本発明は、データ監査装置、携帯端末およびコンピュータの読取可能な記憶媒体も開示する。本発明は、携帯端末に予め設定の監査アプリケーションプログラムで監査案件をリアルタイムに処理することが可能なので、データ監査の便利・迅速性および効率を向上させる。
2019514108.tif 000002
【特許請求の範囲】
【請求項１】
携帯端末に予め設定の監査アプリケーションプログラムを起動し、前記監査アプリケーションプログラムの表示インターフェイスに監査請求が受信されている場合、この監査請求に対応する発起者が予め設定の監査人物であるかを判断するステップと、
前記監査請求に対応する発起者が予め設定の監査人物であるとともに、前記監査請求に対応する監査任務が予め設定の監査任務である場合、配分指令を受信して前記監査任務に対して配分処理を行うステップと、
前記監査請求に対応する発起者が予め設定の監査人物であるとともに、前記監査請求に対応する監査任務が予め設定の監査任務でない場合、前記監査任務を転出または配分することを確定した後、前記監査任務に対して相応の転出または配分を行うステップと、を含むことを特徴とするデータ監査方法。
【請求項２】
前記配分指令を受信して前記監査任務に対して配分処理を行うステップは、
配分指令を受信して複数の異なるサブ任務を配分し、配分された前記サブ任務が予め設定の任務であるかを判断するステップと、
前記配分された前記サブ任務が予め設定の任務である場合、前記サブ任務に対応する主監査人が監査任務を完成した後、前記主監査人がフィードバックした相応の監査任務の結論を受信するステップと、を含むことを特徴とする請求項１に記載のデータ監査方法。
【請求項３】
前記配分された前記サブ任務が予め設定の任務であるかを判断するステップ以降に、
前記配分された前記サブ任務が予め設定の任務でない場合、前記主監査人がサブ任務を本地方で行うように返送するかを判断するステップと、
前記主監査人がサブ任務を本地方で行うように返送する場合、補助監査人がフィードバックした監査結果を受信するステップと、
前記主監査人がサブ任務を本地方で行うように返送しない場合、前記主監査人が行っているサブ任務以外の全てのサブ任務を提出したかを判断し、「いいえ」の場合、サブ任務を全て提出しなかったことに関するプロンプトメッセージを出力し、「はい」の場合、前記主監査人がフィードバックした相応の監査任務の結論を受信するステップと、を含むことを特徴とする請求項２に記載のデータ監査方法。
【請求項４】
前記配分された前記サブ任務が予め設定の任務であるかを判断するステップ以降に、
前記配分された前記サブ任務が予め設定の任務でない場合、前記主監査人がサブ任務を申請するかを判断するステップと、
前記主監査人がサブ任務を申請する場合、前記主監査人が行っているサブ任務を返送するかを判断し、「はい」の場合、前記主監査人がサブ任務を申請するかを再度判断し、「いいえ」の場合、転出または配分処理を行うステップと、
前記主監査人がサブ任務を申請しない場合、前記主監査人が行っているサブ任務以外の全てのサブ任務を提出したかを判断し、「いいえ」の場合、サブ任務を全て提出しなかったことに関するプロンプトメッセージを出力し、「はい」の場合、前記主監査人がフィードバックした相応の監査任務の結論を受信するステップと、を含むことを特徴とする請求項２に記載のデータ監査方法。
【請求項５】
前記配分された前記サブ任務が予め設定の任務であるかを判断するステップ以降に、
前記配分された前記サブ任務が予め設定の任務でない場合、前記主監査人が他地方の予め設定の監査人物が提出したサブ任務を審査するかを判断するステップと、
前記主監査人が他地方の予め設定の監査人物が提出したサブ任務を審査する場合、他地方の補助監査任務があるかを判断し、「ない」の場合、前記他地方の予め設定の監査人物がフィードバックを完成したことを確定し、「ある」の場合、他地方の予め設定の監査人物が審査するときには、前記他地方の補助監査人物がフィードバックしたサブ任務を受信し、他地方の予め設定の監査人物が審査しないときには、前記他地方の予め設定の監査人物がフィードバックを完成したことを確定するステップと、
前記主監査人が他地方の予め設定の監査人物が提出したサブ任務を審査しない場合、前記主監査人が行っているサブ任務以外の全てのサブ任務を提出したかを判断し、「いいえ」の場合、サブ任務を全て提出しなかったことに関するプロンプトメッセージを出力し、「はい」の場合、前記主監査人がフィードバックした相応の監査任務の結論を受信するステップを含むことを特徴とする請求項２に記載のデータ監査方法。
【請求項６】
前記監査請求に対応する発起者が予め設定の監査人物であるかを判断するステップ以降に、
前記監査請求に対応する発起者が予め設定の監査人物でない場合、決算報告に関連の保険証券が属する保険契約機関に基づいて行政区域権限がそれに対応する目標の監査人物を取得し、前記監査請求に対応する監査任務を前記目標の監査人物に対応する端末に発送して配分を待機するか、または、目標の監査人物を取得することができなかった場合、前記監査任務を一段階高い行政区域の予め設定の監査人物に発送して配分を行うステップを含むことを特徴とする請求項１に記載のデータ監査方法。
【請求項７】
前記監査請求に対応する発起者が予め設定の監査人物であるかを判断するステップ以降に、
前記監査請求に対応する発起者が予め設定の監査人物でない場合、決算報告に関連の保険証券が属する保険契約機関に基づいて行政区域権限がそれに対応する目標の監査人物を取得し、前記監査請求に対応する監査任務を前記目標の監査人物に対応する端末に発送して配分を待機するか、または、目標の監査人物を取得することができなかった場合、前記監査任務を一段階高い行政区域の予め設定の監査人物に発送して配分を行うステップを含むことを特徴とする請求項５に記載のデータ監査方法。
【請求項８】
携帯端末に予め設定の監査アプリケーションプログラムを起動し、前記監査アプリケーションプログラムの表示インターフェイスに監査請求が受信されている場合、この監査請求に対応する発起者が予め設定の監査人物であるかを判断するための判断モジュールと、
前記監査請求に対応する発起者が予め設定の監査人物であるとともに、前記監査請求に対応する監査任務が予め設定の監査任務である場合、配分指令を受信して前記監査任務に対して配分処理を行うための受信モジュールと、
前記監査請求に対応する発起者が予め設定の監査人物であるとともに、前記監査請求に対応する監査任務が予め設定の監査任務でない場合、前記監査任務を転出または配分することを確定した後、前記監査任務に対して相応の転出または配分を行うための実行モジュールと、を備えることを特徴とするデータ監査装置。
【請求項９】
前記受信モジュールは、配分指令を受信して複数の異なるサブ任務を配分し、配分された前記サブ任務が予め設定の任務であるかを判断するための第１判断ユニットと、
前記配分された前記サブ任務が予め設定の任務である場合、前記サブ任務に対応する主監査人が監査任務を完成した後、前記主監査人がフィードバックした相応の監査任務の結論を受信するための第１受信ユニットと、を備えることを特徴とする請求項８に記載のデータ監査装置。
【請求項１０】
前記受信モジュールは、前記配分された前記サブ任務が予め設定の任務でない場合、前記主監査人がサブ任務を本地方で行うように返送するかを判断するための第２判断ユニットと、
前記主監査人がサブ任務を本地方で行うように返送する場合、補助監査人がフィードバックした監査結果を受信するための第２受信ユニットと、
前記主監査人がサブ任務を本地方で行うように返送しない場合、前記主監査人が行っているサブ任務以外の全てのサブ任務を提出したかを判断し、「いいえ」の場合、サブ任務を全て提出しなかったことに関するプロンプトメッセージを出力し、「はい」の場合、前記主監査人がフィードバックした相応の監査任務の結論を受信するための第１処理ユニットと、をさらに備えることを特徴とする請求項９に記載のデータ監査装置。
【請求項１１】
前記受信モジュールは、前記配分された前記サブ任務が予め設定の任務でない場合、前記主監査人がサブ任務を申請するかを判断するための第３判断ユニットと、
前記主監査人がサブ任務を申請する場合、前記主監査人が行っているサブ任務を返送するかを判断し、「はい」の場合、前記主監査人がサブ任務を申請するかを再度判断し、「いいえ」の場合、転出または配分処理を行うための第２処理ユニットと、
前記主監査人がサブ任務を申請しない場合、前記主監査人が行っているサブ任務以外の全てのサブ任務を提出したかを判断し、「いいえ」の場合、サブ任務を全て提出しなかったことに関するプロンプトメッセージを出力し、「はい」の場合、前記主監査人がフィードバックした相応の監査任務の結論を受信するための第３処理ユニットと、をさらに備えることを特徴とする請求項９に記載のデータ監査装置。
【請求項１２】
前記受信モジュールは、前記配分された前記サブ任務が予め設定の任務でない場合、前記主監査人が他地方の予め設定の監査人物が提出したサブ任務を審査するかを判断するための第４判断ユニットと、
前記主監査人が他地方の予め設定の監査人物が提出したサブ任務を審査する場合、他地方の補助監査任務があるかを判断し、「ない」の場合、前記他地方の予め設定の監査人物がフィードバックを完成したことを確定し、「ある」の場合、他地方の予め設定の監査人物が審査するときには、前記他地方の補助監査人物がフィードバックしたサブ任務を受信し、他地方の予め設定の監査人物が審査しないときには、前記他地方の予め設定の監査人物がフィードバックを完成したことを確定するための第４処理ユニットと、
主監査人が他地方の予め設定の監査人物が提出したサブ任務を審査しない場合、前記主監査人が行っているサブ任務以外の全てのサブ任務を提出したかを判断し、「いいえ」の場合、サブ任務を全て提出しなかったことに関するプロンプトメッセージを出力し、「はい」の場合、前記主監査人がフィードバックした相応の監査任務の結論を受信するための第５処理ユニットと、をさらに備えることを特徴とする請求項９に記載のデータ監査装置。
【請求項１３】
前記データ監査装置は、前記監査請求に対応する発起者が予め設定の監査人物でない場合、決算報告に関連の保険証券が属する保険契約機関に基づいて行政区域権限がそれに対応する目標の監査人物を取得し、前記監査請求に対応する監査任務を前記目標の監査人物に対応する端末に発送して配分を待機するか、または、目標の監査人物を取得することができなかった場合、前記監査任務を一段階高い行政区域の予め設定の監査人物に発送して配分を行うための発送モジュールをさらに備えることを特徴とする請求項８に記載のデータ監査装置。
【請求項１４】
前記データ監査装置は、前記監査請求に対応する発起者が予め設定の監査人物でない場合、決算報告に関連の保険証券が属する保険契約機関に基づいて行政区域権限がそれに対応する目標の監査人物を取得し、前記監査請求に対応する監査任務を前記目標の監査人物に対応する端末に発送して配分を待機するか、または、目標の監査人物を取得することができなかった場合、前記監査任務を一段階高い行政区域の予め設定の監査人物に発送して配分を行うための発送モジュールをさらに備えることを特徴とする請求項１２に記載のデータ監査装置。
【請求項１５】
処理装置および記憶装置を備え、前記記憶装置には、データ監査プログラムが記憶されており、
前記処理装置は、前記データ監査プログラムを実行することにより、
携帯端末に予め設定の監査アプリケーションプログラムを起動し、前記監査アプリケーションプログラムの表示インターフェイスに監査請求が受信されている場合、この監査請求に対応する発起者が予め設定の監査人物であるかを判断するステップと、
前記監査請求に対応する発起者が予め設定の監査人物であるとともに、前記監査請求に対応する監査任務が予め設定の監査任務である場合、配分指令を受信して前記監査任務に対して配分処理を行うステップと、
前記監査請求に対応する発起者が予め設定の監査人物であるとともに、前記監査請求に対応する監査任務が予め設定の監査任務でない場合、前記監査任務を転出または配分することを確定した後、前記監査任務に対して相応の転出または配分を行うステップと、を実現することができることを特徴とする携帯端末。
【請求項１６】
前記処理装置は、前記データ監査プログラムを実行することにより、前記配分指令を受信して前記監査任務に対して配分処理を行うステップが含む、
前記配分指令を受信して複数の異なるサブ任務を配分し、配分された前記サブ任務が予め設定の任務であるかを判断するステップと、
前記配分された前記サブ任務が予め設定の任務である場合、前記サブ任務に対応する主監査人が監査任務を完成した後、前記主監査人がフィードバックした相応の監査任務の結論を受信するステップと、を実現することもできることを特徴とする請求項１５に記載の携帯端末。
【請求項１７】
前記処理装置は、前記データ監査プログラムを実行することにより、前記配分された前記サブ任務が予め設定の任務であるかを判断するステップ以降のステップである、
前記配分された前記サブ任務が予め設定の任務でない場合、前記主監査人がサブ任務を本地方で行うように返送するかを判断するステップと、
前記主監査人がサブ任務を本地方で行うように返送する場合、補助監査人がフィードバックした監査結果を受信するステップと、
前記主監査人がサブ任務を本地方で行うように返送しない場合、前記主監査人が行っているサブ任務以外の全てのサブ任務を提出したかを判断し、「いいえ」の場合、サブ任務を全て提出しなかったことに関するプロンプトメッセージを出力し、「はい」の場合、前記主監査人がフィードバックした相応の監査任務の結論を受信するステップと、を実現することもできることを特徴とする請求項１６に記載の携帯端末。
【請求項１８】
前記処理装置は、前記データ監査プログラムを実行することにより、前記配分された前記サブ任務が予め設定の任務であるかを判断するステップ以降のステップである、
前記配分された前記サブ任務が予め設定の任務でない場合、前記主監査人がサブ任務を申請するかを判断するステップと、
前記主監査人がサブ任務を申請する場合、前記主監査人が行っているサブ任務を返送するかを判断し、「はい」の場合、前記主監査人がサブ任務を申請するかを再度判断し、「いいえ」の場合、転出または配分処理を行うステップと、
前記主監査人がサブ任務を申請しない場合、前記主監査人が行っているサブ任務以外の全てのサブ任務を提出したかを判断し、「いいえ」の場合、サブ任務を全て提出しなかったことに関するプロンプトメッセージを出力し、「はい」の場合、前記主監査人がフィードバックした相応の監査任務の結論を受信するステップと、を実現することもできることを特徴とする請求項１６に記載の携帯端末。
【請求項１９】
前記処理装置は、前記データ監査プログラムを実行することにより、前記配分された前記サブ任務が予め設定の任務であるかを判断するステップ以降のステップである、
前記配分された前記サブ任務が予め設定の任務でない場合、前記主監査人が他地方の予め設定の監査人物が提出したサブ任務を審査するかを判断するステップと、
前記主監査人が他地方の予め設定の監査人物が提出したサブ任務を審査する場合、他地方の補助監査任務があるかを判断し、「ない」の場合、前記他地方の予め設定の監査人物がフィードバックを完成したことを確定し、「ある」の場合、他地方の予め設定の監査人物が審査するときには、前記他地方の補助監査人物がフィードバックしたサブ任務を受信し、他地方の予め設定の監査人物が審査しないときには、前記他地方の予め設定の監査人物がフィードバックを完成したことを確定するステップと、
前記主監査人が他地方の予め設定の監査人物が提出したサブ任務を審査しない場合、前記主監査人が行っているサブ任務以外の全てのサブ任務を提出したかを判断し、「いいえ」の場合、サブ任務を全て提出しなかったことに関するプロンプトメッセージを出力し、「はい」の場合、前記主監査人がフィードバックした相応の監査任務の結論を受信するステップと、を実現することもできることを特徴とする請求項１６に記載の携帯端末。
【請求項２０】
前記処理装置は、前記データ監査プログラムを実行することにより、前記監査請求に対応する発起者が予め設定の監査人物であるかを判断するステップ以降のステップである、
前記監査請求に対応する発起者が予め設定の監査人物でない場合、決算報告に関連の保険証券が属する保険契約機関に基づいて行政区域権限がそれに対応する目標の監査人物を取得し、前記監査請求に対応する監査任務を前記目標の監査人物に対応する端末に発送して配分を待機するか、または、目標の監査人物を取得することができなかった場合、前記監査任務を一段階高い行政区域の予め設定の監査人物に発送して配分を行うステップを実現することもできることを特徴とする請求項１５に記載携帯端末。
【請求項２１】
１つまたは複数のプログラムを記憶しており、
前記１つまたは複数のプログラムが１つまたは複数の処理装置によって実行されることにより、
携帯端末に予め設定の監査アプリケーションプログラムを起動し、前記監査アプリケーションプログラムの表示インターフェイスに監査請求が受信されている場合、この監査請求に対応する発起者が予め設定の監査人物であるかを判断するステップと、
前記監査請求に対応する発起者が予め設定の監査人物であるとともに、前記監査請求に対応する監査任務が予め設定の監査任務である場合、配分指令を受信して前記監査任務に対して配分処理を行うステップと、
前記監査請求に対応する発起者が予め設定の監査人物であるとともに、前記監査請求に対応する監査任務が予め設定の監査任務でない場合、前記監査任務を転出または配分することを確定した後、前記監査任務に対して相応の転出または配分を行うステップと、を実現することができることを特徴とするコンピュータの読取可能な記憶媒体。
【請求項２２】
前記コンピュータの読取可能な記憶媒体は、前記配分指令を受信して前記監査任務に対して配分処理を行うステップが含む、
前記配分指令を受信して複数の異なるサブ任務を配分し、配分された前記サブ任務が予め設定の任務であるかを判断するステップと、
前記配分された前記サブ任務が予め設定の任務である場合、前記サブ任務に対応する主監査人が監査任務を完成した後、前記主監査人がフィードバックした相応の監査任務の結論を受信するステップと、を実現することもできることを特徴とする請求項２１に記載のコンピュータの読取可能な記憶媒体。
【請求項２３】
前記コンピュータの読取可能な記憶媒体は、前記配分された前記サブ任務が予め設定の任務であるかを判断するステップ以降のステップである、
前記配分された前記サブ任務が予め設定の任務でない場合、前記主監査人がサブ任務を本地方で行うように返送するかを判断するステップと、
前記主監査人がサブ任務を本地方で行うように返送する場合、補助監査人がフィードバックした監査結果を受信するステップと、
前記主監査人がサブ任務を本地方で行うように返送しない場合、前記主監査人が行っているサブ任務以外の全てのサブ任務を提出したかを判断し、「いいえ」の場合、サブ任務を全て提出しなかったことに関するプロンプトメッセージを出力し、「はい」の場合、前記主監査人がフィードバックした相応の監査任務の結論を受信するステップと、を実現することもできることを特徴とする請求項２２に記載のコンピュータの読取可能な記憶媒体。
【請求項２４】
前記コンピュータの読取可能な記憶媒体は、前記配分された前記サブ任務が予め設定の任務であるかを判断するステップ以降のステップである、
前記配分された前記サブ任務が予め設定の任務でない場合、前記主監査人がサブ任務を申請するかを判断するステップと、
前記主監査人がサブ任務を申請する場合、前記主監査人が行っているサブ任務を返送するかを判断し、「はい」の場合、前記主監査人がサブ任務を申請するかを再度判断し、「いいえ」の場合、転出または配分処理を行うステップと、
前記主監査人がサブ任務を申請しない場合、前記主監査人が行っているサブ任務以外の全てのサブ任務を提出したかを判断し、「いいえ」の場合、サブ任務を全て提出しなかったことに関するプロンプトメッセージを出力し、「はい」の場合、前記主監査人がフィードバックした相応の監査任務の結論を受信するステップと、を実現することもできることを特徴とする請求項２２に記載のコンピュータの読取可能な記憶媒体。
【請求項２５】
前記コンピュータの読取可能な記憶媒体は、前記配分された前記サブ任務が予め設定の任務であるかを判断するステップ以降のステップである、
前記配分された前記サブ任務が予め設定の任務でない場合、前記主監査人が他地方の予め設定の監査人物が提出したサブ任務を審査するかを判断するステップと、
前記主監査人が他地方の予め設定の監査人物が提出したサブ任務を審査する場合、他地方の補助監査任務があるかを判断し、「ない」の場合、前記他地方の予め設定の監査人物がフィードバックを完成したことを確定し、「ある」の場合、他地方の予め設定の監査人物が審査するときには、前記他地方の補助監査人物がフィードバックしたサブ任務を受信し、他地方の予め設定の監査人物が審査しないときには、前記他地方の予め設定の監査人物がフィードバックを完成したことを確定するステップと、
前記主監査人が他地方の予め設定の監査人物が提出したサブ任務を審査しない場合、前記主監査人が行っているサブ任務以外の全てのサブ任務を提出したかを判断し、「いいえ」の場合、サブ任務を全て提出しなかったことに関するプロンプトメッセージを出力し、「はい」の場合、前記主監査人がフィードバックした相応の監査任務の結論を受信するステップと、を実現することもできることを特徴とする請求項２２に記載のコンピュータの読取可能な記憶媒体。
【請求項２６】
前記コンピュータの読取可能な記憶媒体は、前記監査請求に対応する発起者が予め設定の監査人物であるかを判断するステップ以降のステップである、
前記監査請求に対応する発起者が予め設定の監査人物でない場合、決算報告に関連の保険証券が属する保険契約機関に基づいて行政区域権限がそれに対応する目標の監査人物を取得し、前記監査請求に対応する監査任務を前記目標の監査人物に対応する端末に発送して配分を待機するか、または、目標の監査人物を取得することができなかった場合、前記監査任務を一段階高い行政区域の予め設定の監査人物に発送して配分を行うステップを実現することもできることを特徴とする請求項２１に記載のコンピュータの読取可能な記憶媒体。
【発明の詳細な説明】
【技術分野】
【０００１】
本発明は、保険技術分野に関し、特にデータ監査方法、装置、携帯端末及びコンピュータの読取可能な記憶媒体に関する。
【背景技術】
【０００２】
現在、保険の還付過程において、保険業者は指定の病院や事故現場などの場所に監査人を派遣して相応の監査を行う必要がある。監査人が監査任務を行う過程において、通常は監査人が監査資料やノートパソコンを持参して指定の監査場所で監査を行う。監査人は、現場での調査が終わった後、会社に戻って調査結果を記入するが、現場で記録した監査事項を整理して記入しなげればならない。監査人の監査過程が非常に煩雑となるので、監査人に不便を与えるとともに、監査の効率が低い。
【発明の概要】
【発明が解決しようとする課題】
【０００３】
本発明の主な目的は、データ監査の便利・迅速性および効率を向上させることができるデータ監査方法、装置、携帯端末及びコンピュータの読取可能な記憶媒体を提供することにある。
【課題を解決するための手段】
【０００４】
上述した目的を実現するため、本発明に係るデータ監査方法は、携帯端末に予め設定の監査アプリケーションプログラムを起動し、前記監査アプリケーションプログラムの表示インターフェイスに監査請求が受信されている場合、この監査請求に対応する発起者が予め設定の監査人物であるかを判断するステップと、
前記監査請求に対応する発起者が予め設定の監査人物であるとともに、前記監査請求に対応する監査任務が予め設定の監査任務である場合、配分指令を受信して前記監査任務に対して配分処理を行うステップと、
前記監査請求に対応する発起者が予め設定の監査人物であるとともに、前記監査請求に対応する監査任務が予め設定の監査任務でない場合、前記監査任務を転出または配分することを確定した後、前記監査任務に対して相応の転出または配分を行うステップと、を含む。
【０００５】
また、上述した目的を実現するため、本発明に係るデータ監査装置は、携帯端末に予め設定の監査アプリケーションプログラムを起動し、前記監査アプリケーションプログラムの表示インターフェイスに監査請求が受信されている場合、この監査請求に対応する発起者が予め設定の監査人物であるかを判断するための判断モジュールと、
前記監査請求に対応する発起者が予め設定の監査人物であるとともに、前記監査請求に対応する監査任務が予め設定の監査任務である場合、配分指令を受信して前記監査任務に対して配分処理を行うための受信モジュールと、
前記監査請求に対応する発起者が予め設定の監査人物であるとともに、前記監査請求に対応する監査任務が予め設定の監査任務でない場合、前記監査任務を転出または配分することを確定した後、前記監査任務に対して相応の転出または配分を行うための実行モジュールと、を備える。
【０００６】
また、上述した目的を実現するため、本発明に係る携帯端末は、処理装置および記憶装置を備え、前記記憶装置には、データ監査プログラムが記憶されており、
前記処理装置は、前記データ監査プログラムを実行することにより、
携帯端末に予め設定の監査アプリケーションプログラムを起動し、前記監査アプリケーションプログラムの表示インターフェイスに監査請求が受信されている場合、この監査請求に対応する発起者が予め設定の監査人物であるかを判断するステップと、
前記監査請求に対応する発起者が予め設定の監査人物であるとともに、前記監査請求に対応する監査任務が予め設定の監査任務である場合、配分指令を受信して前記監査任務に対して配分処理を行うステップと、
前記監査請求に対応する発起者が予め設定の監査人物であるとともに、前記監査請求に対応する監査任務が予め設定の監査任務でない場合、前記監査任務を転出または配分することを確定した後、前記監査任務に対して相応の転出または配分を行うステップと、を実現することができる。
【０００７】
また、上述した目的を実現するため、本発明に係るコンピュータの読取可能な記憶媒体は、１つまたは複数のプログラムを記憶しており、
前記１つまたは複数のプログラムが１つまたは複数の処理装置によって実行されることにより、
携帯端末に予め設定の監査アプリケーションプログラムを起動し、前記監査アプリケーションプログラムの表示インターフェイスに監査請求が受信されている場合、この監査請求に対応する発起者が予め設定の監査人物であるかを判断するステップと、
前記監査請求に対応する発起者が予め設定の監査人物であるとともに、前記監査請求に対応する監査任務が予め設定の監査任務である場合、配分指令を受信して前記監査任務に対して配分処理を行うステップと、
前記監査請求に対応する発起者が予め設定の監査人物であるとともに、前記監査請求に対応する監査任務が予め設定の監査任務でない場合、前記監査任務を転出または配分することを確定した後、前記監査任務に対して相応の転出または配分を行うステップと、を実現することができる。
【発明の効果】
【０００８】
本発明によれば、携帯端末に予め設定の監査アプリケーションプログラムを起動した後、監査アプリケーションプログラムの表示インターフェイスに監査請求が受信されている場合、前記監査請求に対応する発起者が予め設定の監査人物であるとともに前記監査請求に対応する監査任務が予め設定の任務であれば、配分指令を受信して前記監査任務に対して配分処理を行う。前記監査請求に対応する発起者が予め設定の監査人物であるとともに前記監査請求に対応する監査任務が予め設定の任務でなければ、前記監査任務を転出または配分することを確定した後、前記監査任務に対して相応の転出または配分を行う。したがって、監査人は、携帯端末を持参して監査現場で監査を行うことができ、携帯端末に予め設定の監査アプリケーションプログラムで監査案件をリアルタイムに処理することが可能なので、データ監査の便利・迅速性および効率を向上させることができる。
【図面の簡単な説明】
【０００９】
【図１】本発明に係るデータ監査方法の第１実施例の流れ図である。
【図２】本発明に係るデータ監査方法の第２実施例の流れ図である。
【図３】本発明に係るデータ監査装置の第１実施例の機能ブロック図である。
【図４】本発明に係るデータ監査装置の第２実施例の機能ブロック図である。
【図５】本発明の実施例に係るハードウェアの実行環境である携帯端末の構成を示す図である。
【００１０】
本発明の目的の実現、機能特徴及び利点については、実施例及び図面を参照しながら説明する。
【発明を実施するための形態】
【００１１】
以下の具体的な実施例は、本発明を説明するためのものであり、本発明を限定するものではない。
【００１２】
図１に示したように、本発明の第１実施例に係るデータ監査方法は、下記のようなステップＳ１０〜ステップＳ３０を含む。
【００１３】
ステップＳ１０では、携帯端末に予め設定の監査アプリケーションプログラムを起動し、前記監査アプリケーションプログラムの表示インターフェイスに監査請求が受信されている場合、この監査請求に対応する発起者が予め設定の監査人物であるかを判断する。
【００１４】
本実施例では、データ監査方法を携帯端末に応用している。この携帯端末の類型は、実際の要求により設定されることができる。例えば、この携帯端末は、携帯電話、タブレット型コンピュータなどを含む。
【００１５】
この携帯端末にはデータ監査の結論を記録するための監査アプリケーションプログラム（即ち、ＡＰＰ）が予めインストールされている。通常、保険の還付を行う場合、保険業者は指定の病院や事故現場などの場所に監査人を派遣して相応の監査を行い、そのとき、ユーザーは、携帯端末を持参して監査現場で監査の結論を適時に記録することができる。その保険の類型は、実際の要求により設定されることができる。例えば、この保険は、重病保険であることができる。
【００１６】
この監査は、決算報告監査、医療巡回および自主監査などを含むことができる。決算報告監査とは、決算報告人が決算報告の審査を行うときに決算報告情報などに問題があることを発見した場合、決算報告人が発起する監査である。医療巡回とは、主管または監査人が発起し、病院に対して定期的に発起する監査である。自主監査とは、主管または監査人が発起し、被保険者や決算報告任務を自主的に選択して再度監査などを行う監査である。
【００１７】
具体的には、この携帯端末に監査アプリケーションプログラムを予めインストールした後、監査人が携帯端末を使用して現場で監査の結論を記録することができる。まず、携帯端末が監査アプリケーションプログラムを実行するように起動し、監査アプリケーションプログラムの表示インターフェイスに監査請求が受信されているかを検出する。監査アプリケーションプログラムの表示インターフェイスに監査請求が受信されていることが検出された場合、この監査請求に対応する発起者が予め設定の監査人物であるかを判断する。この予め設定の監査人物は、監査主管であることができ、以下では監査主管を例として詳細に説明する。そのとき、監査の主任務の番号を生成することができ、この番号に基づいて監査状態を記録するようにする。
【００１８】
好ましくは、前記監査請求に対応する発起者が監査主管であるかを判断するステップ以降に、下記のようなステップを含む。即ち、前記監査請求に対応する発起者が監査主管でない場合、この監査の主任務は配分待機の状態となり、指定の監査主管は監査を行うかを判断する。監査を行う場合、携帯端末は、監査を行うとの情報を受信すれば、この監査請求に対応する監査任務が予め設定の監査任務であるかを判断する。この予め設定の監査任務は、医療巡回であることができ、以下では医療巡回を例として詳細に説明する。この監査請求に対応する監査任務が医療巡回である場合、この指定の監査主管が入力した配分指令を受信し、この配分指令に基づいてサブ任務を配分して監査任務に対して処理を行う。この監査請求に対応する監査任務が医療巡回でない場合、この監査請求に対応する監査任務に対して転出または配分処理を行うかを判断し、この判断結果に基づいて相応の操作を行う。監査を行わない場合、携帯端末は、監査を行わないとの情報を受信すれば、決算報告監査であるかを判断し、「はい」の場合、監査請求の決裁処理の完了を選択し、「いいえ」の場合、監査を行うとの情報を受信すれば、監査任務が医療巡回であるかを判断し、この判断結果に基づいて後続の操作を行う。
【００１９】
ステップＳ２０では、前記監査請求に対応する発起者が予め設定の監査人物であるとともに、前記監査請求に対応する監査任務が予め設定の監査任務である場合、配分指令を受信して前記監査任務に対して配分処理を行う。
【００２０】
医療巡回は転出することができないので、医療巡回に対しては特殊な処理を行う必要がある。前記監査請求に対応する発起者が監査主管である場合、前記監査請求に対応する監査任務が医療巡回であるかを判断する。この監査任務が医療巡回である場合、監査主管はサブ任務を配分して監査任務に対してそれぞれ監査を行い、携帯端末は、配分指令を受信すれば、この配分指令に基づいて監査任務に対して配分処理を行う。
【００２１】
ステップＳ３０では、前記監査請求に対応する発起者が予め設定の監査人物であるとともに、前記監査請求に対応する監査任務が予め設定の監査任務でない場合、前記監査任務を転出または配分することを確定した後、前記監査任務に対して相応の転出または配分を行う。
【００２２】
前記監査請求に対応する発起者が監査主管である場合、前記監査請求に対応する監査任務が医療巡回であるかを判断する。この監査任務が医療巡回でない場合、監査任務に対して転出または配分を行うかを判断する。前記監査任務を転出または配分することを確定した後、前記監査任務に対して相応の転出または配分を行う。
【００２３】
携帯端末に予め設定の監査アプリケーションプログラムで監査任務の申請、監査任務の配分、監査結果のフィードバック、監査結果の審査、監査任務情報の照会を行うことができる。監査人は、現場での調査が終わった後、勤務先に戻って調査結果を記入する必要はない。したがって、監査人が監査案件をリアルタイムに処理することが可能なので、フィードバックの時間的効率が向上する。
【００２４】
なお、監査過程において、行政区域権限に対して管理を行うことができる。携帯端末は、配置指令を受信すれば、この配置指令に基づいて各被保険地区の監査管理権限に対して配分を行う。監査管理権限に対する配分が完成された後、ユーザーが入力した照会請求を受信した場合、この照会請求に基づいてこの照会請求に対応するユーザーに照会権限があるかを判断する。このユーザーに照会権限があれば、この照会請求に基づいてサーバーから対応のデータを取得し、この対応のデータを出力して表示する。このユーザーに照会権限がなければ、相応のプロンプトメッセージを出力する。ユーザーが監査任務を照会する場合、ユーザーが現在所属の行政区域に基づいてこの行政区域における全ての監査任務の明細情報を照会することができる。また、実際の要求により各被保険地区の監査管理権限に対して新たに配分することができる。
【００２５】
監査管理権限の設定について、各被保険地区の監査管理権限を各機関に配分することができ、同一の機関が同時に複数の行政区域の監査管理権限を持つことができる。同一の機関の被保険地区の監査管理権限を各監査人に配分し、同一の監査人は同時に複数の被保険地区を担当することができ、同一の行政区域は複数の監査人によって管理されることができる。本地方の監査主管が監査任務を他地方へ転出して監査を行う場合、この監査任務を、目標の行政区域の監査管理権限を持っている監査主管に対応する端末に直接発送して配分を待機することができる。
【００２６】
本発明の実施例では、携帯端末に予め設定の監査アプリケーションプログラムを起動した後、監査アプリケーションプログラムの表示インターフェイスに監査請求が受信されている場合、前記監査請求に対応する発起者が監査主管であるとともに前記監査請求に対応する監査任務が医療巡回であれば、配分指令を受信して前記監査任務に対して配分処理を行う。前記監査請求に対応する発起者が監査主管であるとともに前記監査請求に対応する監査任務が医療巡回でなければ、前記監査任務を転出または配分することを確定した後、前記監査任務に対して相応の転出または配分を行う。したがって、監査人は、携帯端末を持参して監査現場で監査を行うことができ、携帯端末に予め設定の監査アプリケーションプログラムで監査案件をリアルタイムに処理することが可能なので、データ監査の便利・迅速性および効率を向上させることができる。
【００２７】
さらに、図２に示したように、上述の第１実施例のデータ監査方法に基づいて、本発明の第２実施例に係るデータ監査方法を提出し、この実施例において前記ステップＳ２０は、下記のようなステップＳ２１〜ステップＳ２２を含む。
【００２８】
ステップＳ２１では、配分指令を受信して複数の異なるサブ任務を配分し、配分された前記サブ任務が予め設定の任務であるかを判断する。
【００２９】
ステップＳ２２では、前記配分された前記サブ任務が予め設定の任務である場合、前記サブ任務に対応する主監査人が監査任務を完成した後、前記主監査人がフィードバックした相応の監査任務の結論を受信する。
【００３０】
本実施例において、前記監査請求に対応する発起者が監査主管であるとともに前記監査請求に対応する監査任務が医療巡回である場合、携帯端末は、受信された配分指令に基づいて監査任務に対して配分する過程において、まず、配分指令を受信し、配分指令に基づいて複数の異なるサブ任務を配分した後、配分された複数のサブ任務が医療巡回であるかをそれぞれ判断する。サブ任務が医療巡回である場合、主監査人が監査任務の結論をフィードバックした、即ちサブ任務に対応する主監査人が監査任務を完成した後に主監査人がフィードバックした監査任務の結論を受信する。サブ任務が医療巡回でない場合、主監査人がサブ任務を本地方で行うように返送するかの判断、主監査人がサブ任務を申請するかの判断、及び／又は主監査人が他地方からのサブ任務を審査するかの判断のステップを行い、この判断結果に基づいて後続の相応の操作を行う。
【００３１】
好ましくは、前記監査人がフィードバックした相応の監査任務の結論を受信するステップの後に、下記のようなステップを含む。即ち、前記監査任務の結論が、指定の監査人物による審査及びフィードバックの結論であるかを判断し、指定の監査人物による審査及びフィードバックの結論であれば、決算報告を発起する監査であるかを判断する。決算報告を発起する監査であれば、決算報告をアンロックし、決算報告を発起する監査でなければ、監査を完了する。指定の監査人物による審査及びフィードバックの結論でなければ、監査任務を指定の監査人物へ返送してサブ任務を新たに配分して行うようにする。この指定の監査人物は第１監査主管であることができる。また、指定の監査人物は具体的な状況により能動的に設定することもできる。
【００３２】
本実施例では、携帯端末は、配分指令を受信して複数の異なるサブ任務を配分した後、配分されたサブ任務が医療巡回である場合、監査人がフィードバックした相応の監査任務の結論を受信する。配分されたサブ任務が医療巡回でない場合、異なる判断操作を行い、その判断結果に基づいて後続の相応の操作を行う。したがって、携帯端末は、監査過程においてサブ任務及び監査任務の配分を兼行することができ、複数の監査人が同時に１つの案件に対して監査を行うことができ、全ての監査人による監査が終わった後監査案件が完了され、監査のフィードバック速度を加速化させ、監査の能動性を向上させることができる。
【００３３】
さらに、上述の第２実施例のデータ監査方法に基づいて、本発明の第３実施例に係るデータ監査方法を提出し、この実施例において上述の配分された前記サブ任務が予め設定の任務であるかを判断するステップ以降に、下記のようなステップを含む。
【００３４】
即ち、前記配分された前記サブ任務が予め設定の任務でない場合、前記主監査人がサブ任務を本地方で行うように返送するかを判断する。前記主監査人がサブ任務を本地方で行うように返送する場合、補助監査人がフィードバックした監査結果を受信する。前記主監査人がサブ任務を本地方で行うように返送しない場合、前記主監査人が行っているサブ任務以外の全てのサブ任務を提出したかを判断し、「いいえ」の場合、サブ任務を全て提出しなかったことに関するプロンプトメッセージを出力し、「はい」の場合、前記主監査人がフィードバックした相応の監査任務の結論を受信する。
【００３５】
本実施例では、主監査人がサブ任務を本地方で行うように返送する場合、補助監査人が監査任務を行い、携帯端末は補助監査人がフィードバックした監査結果を受信する。主監査人がサブ任務を本地方で行うように返送しない場合、主監査人が監査任務を行い、携帯端末は主監査人が行っているサブ任務以外の全てのサブ任務を提出したかを判断する。全てのサブ任務を全て提出しなかった場合、サブ任務を全て提出しなかったことに関するプロンプトメッセージを出力して、関連の監査人が適時に処理するように注意を喚起する。全てのサブ任務を提出した場合、主監査人がフィードバックした相応の監査任務の結論を受信する。主監査人がフィードバックした相応の監査任務の結論を受信した後、前記監査任務の結論が、指定の監査人物による審査及びフィードバックの結論であるかを判断し、指定の監査人物による審査及びフィードバックの結論であれば、決算報告を発起する監査であるかを判断する。決算報告を発起する監査であれば、決算報告をアンロックし、決算報告を発起する監査でなければ、監査を完了する。指定の監査人物による審査及びフィードバックの結論でなければ、監査任務を指定の監査人物へ返送してサブ任務を新たに配分して行うようにする。
【００３６】
本実施例では、携帯端末は、主監査人がサブ任務を本地方で行うように返送することを確定した場合、補助監査人がフィードバックした監査結果を受信し、主監査人がサブ任務を本地方で行うように返送しないとともに全てのサブ任務を提出した場合、主監査人がフィードバックした相応の監査任務の結論を受信する。したがって、監査人を能動的に手配して監査任務を行うことができ、監査の効率を向上させることができる。
【００３７】
さらに、上述の第２実施例のデータ監査方法に基づいて、本発明の第４実施例に係るデータ監査方法を提出し、この実施例において上述の配分された前記サブ任務が予め設定の任務であるかを判断するステップ以降に、下記のようなステップを含む。
【００３８】
前記配分された前記サブ任務が予め設定の任務でない場合、前記主監査人がサブ任務を申請するかを判断する。前記主監査人がサブ任務を申請する場合、前記主監査人が行っているサブ任務を返送するかを判断し、「はい」の場合、前記主監査人がサブ任務を申請するかを再度判断し、「いいえ」の場合、転出または配分処理を行う。前記主監査人がサブ任務を申請しない場合、前記主監査人が行っているサブ任務以外の全てのサブ任務を提出したかを判断し、「いいえ」の場合、サブ任務を全て提出しなかったことに関するプロンプトメッセージを出力し、「はい」の場合、前記主監査人がフィードバックした相応の監査任務の結論を受信する。
【００３９】
本実施例では、携帯端末は、主監査人がサブ任務を申請するかを判断する過程において、主監査人がサブ任務を申請するとの情報を受信した場合、指定の監査人物が行っているサブ任務を返送するかを判断し、この指定の監査人物は主監査人であることができる。主監査人が行っているサブ任務を返送する場合、主監査人がサブ任務を申請するかを再度判断し、主監査人が行っているサブ任務を返送しない場合、この監査のサブ任務に対して転出または配分処理を行うかを判断する。この監査のサブ任務に対して転出処理を行う場合、主監査人が入力した転出指令を受信してこの監査のサブ任務に対して転出処理を行う。この監査のサブ任務に対して配分処理を行う場合、主監査人が入力した配分指令を受信してこの監査のサブ任務に対して配分処理を行い、この監査のサブ任務を行う補助監査人または専門家がフィードバックした監査結果を受信する。
【００４０】
主監査人がサブ任務を申請しないとの情報を受信した場合、主監査人が行っているサブ任務以外の全てのサブ任務を提出したかを判断する。全てのサブ任務を全て提出しなかった場合、サブ任務を全て提出しなかったことに関するプロンプトメッセージを出力して、関連の監査人が適時に処理するように注意を喚起する。全てのサブ任務を提出した場合、主監査人がフィードバックした相応の監査任務の結論を受信する。主監査人がフィードバックした相応の監査任務の結論を受信した後、前記監査任務の結論が、指定の監査人物による審査及びフィードバックの結論であるかを判断し、指定の監査人物による審査及びフィードバックの結論であれば、決算報告を発起する監査であるかを判断する。決算報告を発起する監査であれば、決算報告をアンロックし、決算報告を発起する監査でなければ、監査を完了する。指定の監査人物による審査及びフィードバックの結論でなければ、監査任務を指定の監査人物へ返送してサブ任務を新たに配分して行うようにする。
【００４１】
本実施例では、主監査人がサブ任務を申請するとともに主監査人が行っているサブ任務を返送しない場合、転出または配分処理を行い、主監査人がサブ任務を申請しないとともに全てのサブ任務を提出した場合、主監査人がフィードバックした相応の監査任務の結論を受信する。したがって、監査任務を能動的に配分することができ、監査の便利・迅速性を向上させることができる。
【００４２】
さらに、上述の第２実施例のデータ監査方法に基づいて、本発明の第５実施例に係るデータ監査方法を提出し、この実施例において上述の配分された前記サブ任務が予め設定の任務であるかを判断するステップ以降に、下記のようなステップを含む。
【００４３】
即ち、前記配分された前記サブ任務が予め設定の任務でない場合、前記主監査人が他地方の予め設定の監査人物が提出したサブ任務を審査するかを判断する。主監査人が他地方の予め設定の監査人物が提出したサブ任務を審査する場合、他地方の補助監査任務があるかを判断し、「ない」の場合、前記他地方の予め設定の監査人物がフィードバックを完成したことを確定し、「ある」の場合、他地方の予め設定の監査人物が審査するときには、前記他地方の補助監査人物がフィードバックしたサブ任務を受信し、他地方の予め設定の監査人物が審査しないときには、前記他地方の予め設定の監査人物がフィードバックを完成したことを確定する。主監査人が他地方の予め設定の監査人物が提出したサブ任務を審査しない場合、前記主監査人が行っているサブ任務以外の全てのサブ任務を提出したかを判断し、「いいえ」の場合、サブ任務を全て提出しなかったことに関するプロンプトメッセージを出力し、「はい」の場合、前記主監査人がフィードバックした相応の監査任務の結論を受信する。
【００４４】
本実施例では、携帯端末は、主監査人が他地方の予め設定の監査人物が提出したサブ任務を審査するとの情報を受信した場合、まず、他地方の補助監査任務があるかを判断する。他地方の補助監査任務がなければ、他地方の監査主管がフィードバックを完成したことを確定する。他地方の補助監査任務があれば、他地方の監査主管が審査するときには、前記他地方の補助監査人物がフィードバックしたサブ任務を受信し、他地方の監査主管が審査しないときには、他地方の監査主管がフィードバックを完成したことを確定する。
【００４５】
主監査人が他地方の監査主管が提出したサブ任務を審査しない場合、まず、主監査人が行っているサブ任務以外の全てのサブ任務を提出したかを判断する。全てのサブ任務を全て提出しなかった場合、サブ任務を全て提出しなかったことに関するプロンプトメッセージを出力して、関連の監査人が適時に処理するように注意を喚起する。全てのサブ任務を提出した場合、主監査人がフィードバックした相応の監査任務の結論を受信する。主監査人がフィードバックした相応の監査任務の結論を受信した後、前記監査任務の結論が、指定の監査人物による審査及びフィードバックの結論であるかを判断し、指定の監査人物による審査及びフィードバックの結論であれば、決算報告を発起する監査であるかを判断する。決算報告を発起する監査であれば、決算報告をアンロックし、決算報告を発起する監査でなければ、監査を完了する。指定の監査人物による審査及びフィードバックの結論でなければ、監査任務を指定の監査人物へ返送してサブ任務を新たに配分して行うようにする。
【００４６】
本実施例では、主監査人が他地方の監査主管が提出したサブ任務を審査する場合、他地方の補助監査任務がなければ、他地方の監査主管が審査するときには、前記他地方の補助監査人物がフィードバックしたサブ任務を受信し、他地方の監査主管が審査しないときには、他地方の監査主管がフィードバックを完成したことを確定する。主監査人が他地方の監査主管が提出したサブ任務を審査しないとともに全てのサブ任務を提出した場合、主監査人がフィードバックした相応の監査任務の結論を受信する。したがって、携帯端末は、監査任務を能動的に配分することができ、監査の効率及び便利・迅速性を向上させることができる。
【００４７】
さらに、上述の第１実施例〜第５実施例のいずれか実施例のデータ監査方法に基づいて、本発明の第６実施例に係るデータ監査方法を提出し、この実施例において上述のステップＳ１０以降に、下記のようなステップを含む。
【００４８】
即ち、前記監査請求に対応する発起者が予め設定の監査人物でない場合、決算報告に関連の保険証券が属する保険契約機関に基づいて行政区域権限がそれに対応する目標の監査人物を取得し、前記監査請求に対応する監査任務を前記目標の監査人物に対応する端末に発送して配分を待機するか、または、目標の監査人物を取得することができなかった場合、前記監査任務を一段階高い行政区域の予め設定の監査人物に発送して配分を行う。
【００４９】
本実施例では、監査管理権限に対して設定を行うことができ、重病保険還付で行われる監査において行政区域権限の管理を例とし、重病保険還付サービスの特殊な政策により、各省、市、区／県において級別ごとに異次元の総合計画政策があり得るので、重病保険システムの還付サービスでは、各地が総合計画する行政区域を単位として、全国で通用できる作業モードを展開して、重病保険システムの各地区での保険契約済みの重病受診の還付サービスを全面的に支持する。監査案件を受付した後、監査案件に対応する被保険者の行政区域に基づいて、各行政区域の担当者が取得して請求書の記入、審査、再審査などの後続の還付作業を行うことによって、従来の組織機関を単位とするデータ権限を管理制御するモードを打破した。組織機関のデータ権限の管理制御力下で管轄する行政区域を個性的に配置するとともに、各機関の行政区域を配置するときには、機関の上下級関係および行政区域の上下級関係に従って配置する必要がある。機関及び行政区域の配置が完了後、監査過程において被保険者の重病保険還付サービスに対する良化及び後続管理を目標として行うことができるように、機関における監査人のデータ権限を、機関が管轄している具体的な行政区域まで細分化する。例えば、各被保険地区の監査管理権限を各機関に配分することができ、同一の機関が同時に複数の行政区域の監査管理権限を持つことができる。
【００５０】
具体的には、各行政区域の監査管理権限を配置した後、携帯端末が受信した監査請求に対応する発起者が監査主管でない場合、決算報告に関連の保険証券が属する保険契約機関に基づいて行政区域権限がそれに対応する目標の監査主管を取得し、前記監査請求に対応する監査任務を前記目標の監査主管に対応する端末に発送して配分を待機する。目標の監査主管を取得することができなかった場合、前記監査任務を一段階高い行政区域の監査主管に発送して配分を行う。
【００５１】
監査主管が監査任務を他地方へ転出して監査を行う場合、この監査任務を、目標の行政区域の監査管理権限を持っている監査主管に対応する端末に直接発送して配分を待機する。ユーザーが監査任務を照会する場合、ユーザーが現在所属の行政区域に基づいてこの行政区域における全ての監査任務の明細情報を照会することができる。
【００５２】
本実施例では、決算報告に関連の保険証券が属する保険契約機関に基づいて行政区域権限がそれに対応する目標の監査主管を取得し、監査任務を目標の監査主管に対応する端末に発送して配分を待機する。または、目標の監査主管を取得することができなかった場合、監査任務を一段階高い行政区域の監査主管に発送して配分を行う。監査人が管轄している行政区域の監査管理権限に対して能動的に配分することができ、監査の便利・迅速性および効率を向上させることができる。
【００５３】
本分野の技術者であれば、上述の実施例の全部または部分的なステップは、ハードウェアによって実現することもでき、プログラムによって関連のハードウェアを指令して実現することもできる。上記のプログラムは、コンピュータの読取可能な記憶媒体に記憶され、上記の記憶媒体は、読取可能なメモリ、磁気ディスクまたは光ディスクなどであることができる。
【００５４】
図３に示したように、本発明の第１実施例に係るデータ監査装置を提出し、この実施例のデータ監査装置は、判断モジュール１００、受信モジュール２００および実行モジュール３００を備える。
【００５５】
判断モジュール１００は、携帯端末に予め設定の監査アプリケーションプログラムを起動し、前記監査アプリケーションプログラムの表示インターフェイスに監査請求が受信されている場合、この監査請求に対応する発起者が予め設定の監査人物であるかを判断する。
【００５６】
本実施例では、データ監査方法を携帯端末に応用している。この携帯端末の類型は、実際の要求により設定されることができる。例えば、この携帯端末は、携帯電話、タブレット型コンピュータなどを含む。
【００５７】
この携帯端末にはデータ監査の結論を記録するための監査アプリケーションプログラム（即ち、ＡＰＰ）が予めインストールされている。通常、保険の還付を行う場合、保険業者は指定の病院や事故現場などの場所に監査人を派遣して関連の監査を行い、そのとき、ユーザーは、携帯端末を持参して監査現場で監査の結論を適時に記録することができる。その保険の類型は、実際の要求により設定されることができる。例えば、この保険は、重病保険であることができる。
【００５８】
この監査は、決算報告監査、医療巡回および自主監査などを含むことができる。決算報告監査とは、決算報告人が決算報告の審査を行うときに決算報告情報などに問題があることを発見した場合、決算報告人が発起する監査である。医療巡回とは、主管または監査人が発起し、病院に対して定期的に発起する監査である。自主監査とは、主管または監査人が発起し、被保険者や決算報告任務を自主的に選択して再度監査などを行う監査である。
【００５９】
具体的には、この携帯端末に監査アプリケーションプログラムを予めインストールした後、監査人が携帯端末を使用して現場で監査の結論を記録することができる。まず、携帯端末が監査アプリケーションプログラムを実行するように起動し、監査アプリケーションプログラムの表示インターフェイスに監査請求が受信されているかを検出する。監査アプリケーションプログラムの表示インターフェイスに監査請求が受信されていることが検出された場合、判断モジュール１００は、この監査請求に対応する発起者が予め設定の監査人物であるかを判断する。この予め設定の監査人物は、監査主管であることができ、以下では監査主管を例として詳細に説明する。そのとき、監査の主任務の番号を生成することができ、この番号に基づいて監査状態を記録するようにする。
【００６０】
好ましくは、前記監査請求に対応する発起者が監査主管であるかを判断するステップ以降に、下記のようなステップを含む。即ち、前記監査請求に対応する発起者が監査主管でない場合、この監査の主任務は配分待機の状態となり、指定の監査主管が監査を行うかを判断する。監査を行う場合、携帯端末は、監査を行うとの情報を受信すれば、この監査請求に対応する監査任務が予め設定の監査任務であるかを判断する。この予め設定の監査任務は、医療巡回であることができ、以下では医療巡回を例として詳細に説明する。この監査請求に対応する監査任務が医療巡回である場合、この指定の監査主管が入力した配分指令を受信し、この配分指令に基づいてサブ任務を配分して監査任務に対して処理を行う。この監査請求に対応する監査任務が医療巡回でない場合、この監査請求に対応する監査任務に対して転出または配分処理を行うかを判断し、この判断結果に基づいて相応の操作を行う。監査を行わない場合、携帯端末は、監査を行わないとの情報を受信すれば、決算報告監査であるかを判断し、「はい」の場合、監査請求の審査処理の完了を選択し、「いいえ」の場合、監査を行うとの情報を受信すれば、監査任務が医療巡回であるかを判断し、この判断結果に基づいて後続の操作を行う。
【００６１】
受信モジュール２００は、前記監査請求に対応する発起者が予め設定の監査人物であるとともに、前記監査請求に対応する監査任務が予め設定の監査任務である場合、配分指令を受信して前記監査任務に対して配分処理を行う。
【００６２】
医療巡回は転出することができないので、医療巡回に対しては特殊な処理を行う必要がある。前記監査請求に対応する発起者が監査主管である場合、前記監査請求に対応する監査任務が医療巡回であるかを判断する。この監査任務が医療巡回である場合、監査主管がサブ任務を配分して監査任務に対してそれぞれ監査を行い、受信モジュール２００は、配分指令を受信すれば、この配分指令に基づいて監査任務に対して配分処理を行う。
【００６３】
実行モジュール３００は、前記監査請求に対応する発起者が予め設定の監査人物であるとともに、前記監査請求に対応する監査任務が予め設定の監査任務でない場合、前記監査任務を転出または配分することを確定した後、前記監査任務に対して相応の転出または配分を行う。
【００６４】
前記監査請求に対応する発起者が監査主管である場合、前記監査請求に対応する監査任務が医療巡回であるかを判断する。前記監査任務が医療巡回でない場合、監査任務に対して転出または配分を行うかを判断する。実行モジュール３００は、前記監査任務を転出または配分することを確定した後、前記監査任務に対して相応の転出または配分を行う。
【００６５】
携帯端末に予め設定の監査アプリケーションプログラムで監査任務の申請、監査任務の配分、監査結果のフィードバック、監査結果の審査、監査任務情報の照会を行うことができる。監査人は、現場での調査が終わった後、勤務先に戻って調査結果を記入する必要はない。したがって、監査人が監査案件をリアルタイムに処理することが可能なので、フィードバックの時間的効率が向上する。
【００６６】
なお、監査過程において、行政区域権限に対して管理を行うことができる。携帯端末は、配置指令を受信すれば、この配置指令に基づいて各被保険地区の監査管理権限に対して配分を行う。監査管理権限に対する配分が完成された後、ユーザーが入力した照会請求を受信した場合、この照会請求に基づいてこの照会請求に対応するユーザーに照会権限があるかを判断する。このユーザーに照会権限があれば、この照会請求に基づいてサーバーから対応のデータを取得し、この対応のデータを出力して表示する。このユーザーに照会権限がなければ、相応のプロンプトメッセージを出力する。ユーザーが監査任務を照会する場合、ユーザーが現在所属の行政区域に基づいてこの行政区域における全ての監査任務の明細情報を照会することができる。また、実際の要求により各被保険地区の監査管理権限に対して新たに配分することができる。
【００６７】
監査管理権限の設定について、各被保険地区の監査管理権限を各機関に配分することができ、同一の機関が同時に複数の行政区域の監査管理権限を持つことができる。同一の機関の被保険地区の監査管理権限を各監査人に配分し、同一の監査人は同時に複数の被保険地区を担当することができ、同一の行政区域は複数の監査人によって管理されることができる。本地方の監査主管が監査任務を他地方へ転出して監査を行う場合、この監査任務を、目標の行政区域の監査管理権限を持っている監査主管に対応する端末に直接発送して配分を待機することができる。
【００６８】
本発明の実施例では、携帯端末に予め設定の監査アプリケーションプログラムを起動した後、監査アプリケーションプログラムの表示インターフェイスに監査請求が受信されている場合、前記監査請求に対応する発起者が監査主管であるとともに前記監査請求に対応する監査任務が医療巡回であれば、配分指令を受信して前記監査任務に対して配分処理を行う。前記監査請求に対応する発起者が監査主管であるとともに前記監査請求に対応する監査任務が医療巡回でなければ、前記監査任務を転出または配分することを確定した後、前記監査任務に対して相応の転出または配分を行う。したがって、監査人は、携帯端末を持参して監査現場で監査を行うことができ、携帯端末に予め設定の監査アプリケーションプログラムで監査案件をリアルタイムに処理することが可能なので、データ監査の便利・迅速性および効率を向上させることができる。
【００６９】
さらに、図４に示したように、上述の第１実施例のデータ監査装置に基づいて、本発明の第２実施例に係るデータ監査装置を提出し、この実施例において前記受信モジュール２００は、第１判断ユニット２１０および第１受信ユニット２２０を備える。
【００７０】
第１判断ユニット２１０は、配分指令を受信して複数の異なるサブ任務を配分し、配分された前記サブ任務が予め設定の任務であるかを判断する。
【００７１】
第１受信ユニット２２０は、配分された前記サブ任務が予め設定の任務である場合、前記サブ任務に対応する主監査人が監査任務を完成した後、前記主監査人がフィードバックした相応の監査任務の結論を受信する。
【００７２】
本実施例において、前記監査請求に対応する発起者が監査主管であるとともに前記監査請求に対応する監査任務が医療巡回である場合、携帯端末は、受信された配分指令に基づいて監査任務に対して配分する過程において、まず、配分指令を受信し、配分指令に基づいて複数の異なるサブ任務を配分した後、第１判断ユニット２１０は、配分された複数のサブ任務が医療巡回であるかをそれぞれ判断する。サブ任務が医療巡回である場合、第１受信ユニット２２０は、主監査人が監査任務の結論をフィードバックした、即ちサブ任務に対応する主監査人が監査任務を完成した後に主監査人がフィードバックした監査任務の結論を受信する。サブ任務が医療巡回でない場合、実行モジュール３００は、主監査人がサブ任務を本地方で行うように返送するかの判断、主監査人がサブ任務を申請するかの判断、及び／又は主監査人が他地方からのサブ任務を審査するかの判断のステップを行い、この判断結果に基づいて後続の相応の操作を行う。
【００７３】
好ましくは、前記監査人がフィードバックした相応の監査任務の結論を受信するステップの後に、下記のようなステップを含む。即ち、前記監査任務の結論が、指定の監査人物による審査及びフィードバックの結論であるかを判断し、指定の監査人物による審査及びフィードバックの結論であれば、決算報告を発起する監査であるかを判断する。決算報告を発起する監査であれば、決算報告をアンロックし、決算報告を発起する監査でなければ、監査を完了する。指定の監査人物による審査及びフィードバックの結論でなければ、監査任務を指定の監査主管へ返送してサブ任務を新たに配分して行うようにする。この指定の監査人物は第１監査主管であることができる。また、指定の監査人物は具体的な状況により能動的に設定することもできる。
【００７４】
本実施例では、携帯端末は、配分指令を受信して複数の異なるサブ任務を配分した後、配分されたサブ任務が医療巡回である場合、監査人がフィードバックした相応の監査任務の結論を受信する。配分されたサブ任務が医療巡回でない場合、異なる判断操作を行い、その判断結果に基づいて後続の相応の操作を行う。したがって、携帯端末は、監査過程においてサブ任務及び監査任務の配分を兼行することができ、複数の監査人が同時に１つの案件に対して監査を行うことができ、全ての監査人による監査が終わった後監査案件が完了され、監査のフィードバック速度を加速化させ、監査の能動性を向上させることができる。
【００７５】
さらに、上述の第２実施例のデータ監査措置に基づいて、本発明の第３実施例に係るデータ監査装置を提出し、この実施例において前記受信モジュール２００は、第２判断ユニット、第２受信ユニットおよび第１処理ユニットをさらに備える。
【００７６】
第２判断ユニットは、前記配分された前記サブ任務が予め設定の任務でない場合、前記主監査人がサブ任務を本地方で行うように返送するかを判断する。
【００７７】
第２受信ユニットは、前記主監査人がサブ任務を本地方で行うように返送する場合、補助監査人がフィードバックした監査結果を受信する。
【００７８】
第１処理ユニットは、前記主監査人がサブ任務を本地方で行うように返送しない場合、前記主監査人が行っているサブ任務以外の全てのサブ任務を提出したかを判断し、「いいえ」の場合、サブ任務を全て提出しなかったことに関するプロンプトメッセージを出力し、「はい」の場合、前記主監査人がフィードバックした相応の監査任務の結論を受信する。
【００７９】
本実施例では、主監査人がサブ任務を本地方で行うように返送する場合、補助監査人が監査任務を行い、第２受信ユニットは補助監査人がフィードバックした監査結果を受信する。主監査人がサブ任務を本地方で行うように返送しない場合、主監査人が監査任務を行い、第１処理ユニットは主監査人が行っているサブ任務以外の全てのサブ任務を提出したかを判断する。全てのサブ任務を全て提出しなかった場合、サブ任務を全て提出しなかったことに関するプロンプトメッセージを出力して、関連の監査人が適時に処理するように注意を喚起する。全てのサブ任務を提出した場合、主監査人がフィードバックした相応の監査任務の結論を受信する。主監査人がフィードバックした相応の監査任務の結論を受信した後、前記監査任務の結論が、指定の監査人物による審査及びフィードバックの結論であるかを判断し、指定の監査人物による審査及びフィードバックの結論であれば、決算報告を発起する監査であるかを判断する。決算報告を発起する監査であれば、決算報告をアンロックし、決算報告を発起する監査でなければ、監査を完了する。指定の監査人物による審査及びフィードバックの結論でなければ、監査任務を指定の監査人物へ返送してサブ任務を新たに配分して行うようにする。
【００８０】
本実施例では、携帯端末は、主監査人がサブ任務を本地方で行うように返送することを確定した場合、補助監査人がフィードバックした監査結果を受信し、主監査人がサブ任務を本地方で行うように返送しないとともに全てのサブ任務を提出した場合、主監査人がフィードバックした相応の監査任務の結論を受信する。したがって、監査人を能動的に手配して監査任務を行うことができ、監査の効率を向上させることができる。
【００８１】
さらに、上述の第２実施例のデータ監査装置に基づいて、本発明の第４実施例に係るデータ監査装置を提出し、この実施例において前記受信モジュール２００は、第３判断ユニット、第２処理ユニット及び第３処理ユニットをさらに備える。
【００８２】
第３判断ユニットは、前記配分された前記サブ任務が予め設定の任務でない場合、前記主監査人がサブ任務を申請するかを判断する。
【００８３】
第２処理ユニットは、前記主監査人がサブ任務を申請する場合、前記主監査人が行っているサブ任務を返送するかを判断し、「はい」の場合、前記主監査人がサブ任務を申請するかを再度判断し、「いいえ」の場合、転出または配分処理を行う。
【００８４】
第３処理ユニットは、前記主監査人がサブ任務を申請しない場合、前記主監査人が行っているサブ任務以外の全てのサブ任務を提出したかを判断し、「いいえ」の場合、サブ任務を全て提出しなかったことに関するプロンプトメッセージを出力し、「はい」の場合、前記主監査人がフィードバックした相応の監査任務の結論を受信する。
【００８５】
本実施例では、携帯端末は、主監査人がサブ任務を申請するかを判断する過程において、主監査人がサブ任務を申請するとの情報を受信した場合、第２処理ユニットは指定の監査人物が行っているサブ任務を返送するかを判断し、この指定の監査人物は主監査人であることができる。主監査人が行っているサブ任務を返送する場合、第２処理ユニットは主監査人がサブ任務を申請するかを再度判断し、主監査人が行っているサブ任務を返送しない場合、この監査のサブ任務に対して転出または配分処理を行うかを判断する。この監査のサブ任務に対して転出処理を行う場合、第２処理ユニットは主監査人が入力した転出指令を受信してこの監査のサブ任務に対して転出処理を行う。この監査のサブ任務に対して配分処理を行う場合、第２処理ユニットは主監査人が入力した配分指令を受信してこの監査のサブ任務に対して配分処理を行い、この監査のサブ任務を行う補助監査人または専門家がフィードバックした監査結果を受信する。
【００８６】
主監査人がサブ任務を申請しないとの情報を受信した場合、第３処理ユニットは主監査人が行っているサブ任務以外の全てのサブ任務を提出したかを判断する。全てのサブ任務を全て提出しなかった場合、サブ任務を全て提出しなかったことに関するプロンプトメッセージを出力して、関連の監査人が適時に処理するように注意を喚起する。全てのサブ任務を提出した場合、主監査人がフィードバックした相応の監査任務の結論を受信する。主監査人がフィードバックした相応の監査任務の結論を受信した後、前記監査任務の結論が、指定の監査人物による審査及びフィードバックの結論であるかを判断し、指定の監査人物による審査及びフィードバックの結論であれば、決算報告を発起する監査であるかを判断する。決算報告を発起する監査であれば、決算報告をアンロックし、決算報告を発起する監査でなければ、監査を完了する。指定の監査人物による審査及びフィードバックの結論でなければ、監査任務を指定の監査人物へ返送してサブ任務を新たに配分して行うようにする。
【００８７】
本実施例では、主監査人がサブ任務を申請するとともに主監査人が行っているサブ任務を返送しない場合、転出または配分処理を行い、主監査人がサブ任務を申請しないとともに全てのサブ任務を提出した場合、主監査人がフィードバックした相応の監査任務の結論を受信する。したがって、監査任務を能動的に配分することができ、監査の便利・迅速性を向上させることができる。
【００８８】
さらに、上述の第２実施例のデータ監査装置に基づいて、本発明の第５実施例に係るデータ監査装置を提出し、この実施例において前記受信モジュール２００は、第４判断ユニット、第４処理ユニットおよび第５処理ユニットをさらに備える。
【００８９】
第４判断ユニットは、前記配分された前記サブ任務が予め設定の任務でない場合、前記主監査人が他地方の予め設定の監査人物が提出したサブ任務を審査するかを判断する。
【００９０】
第４処理ユニットは、主監査人が他地方の予め設定の監査人物が提出したサブ任務を審査する場合、他地方の補助監査任務があるかを判断し、「ない」の場合、前記他地方の予め設定の監査人物がフィードバックを完成したことを確定し、「ある」の場合、他地方の予め設定の監査人物が審査するときには、前記他地方の補助監査人物がフィードバックしたサブ任務を受信し、他地方の予め設定の監査人物が審査しないときには、前記他地方の予め設定の監査人物がフィードバックを完成したことを確定する。
【００９１】
第５処理ユニットは、主監査人が他地方の予め設定の監査人物が提出したサブ任務を審査しない場合、前記主監査人が行っているサブ任務以外の全てのサブ任務を提出したかを判断し、「いいえ」の場合、サブ任務を全て提出しなかったことに関するプロンプトメッセージを出力し、「はい」の場合、前記主監査人がフィードバックした相応の監査任務の結論を受信する。
【００９２】
本実施例では、第４処理ユニットは、主監査人が他地方の予め設定の監査人物が提出したサブ任務を審査するとの情報を受信した場合、まず、他地方の補助監査任務があるかを判断する。他地方の補助監査任務がなければ、他地方の監査主管がフィードバックを完成したことを確定する。他地方の補助監査任務があれば、他地方の監査主管が審査するときには、前記他地方の補助監査人物がフィードバックしたサブ任務を受信し、他地方の監査主管が審査しないときには、他地方の監査主管がフィードバックを完成したことを確定する。
【００９３】
主監査人が他地方の監査主管が提出したサブ任務を審査しない場合、まず、第５処理ユニットは、主監査人が行っているサブ任務以外の全てのサブ任務を提出したかを判断する。全てのサブ任務を全て提出しなかった場合、サブ任務を全て提出しなかったことに関するプロンプトメッセージを出力して、関連の監査人が適時に処理するように注意を喚起する。全てのサブ任務を提出した場合、主監査人がフィードバックした相応の監査任務の結論を受信する。主監査人がフィードバックした相応の監査任務の結論を受信した後、前記監査任務の結論が、指定の監査人物による審査及びフィードバックの結論であるかを判断し、指定の監査人物による審査及びフィードバックの結論であれば、決算報告を発起する監査であるかを判断する。決算報告を発起する監査であれば、決算報告をアンロックし、決算報告を発起する監査でなければ、監査を完了する。指定の監査人物による審査及びフィードバックの結論でなければ、監査任務を指定の監査人物へ返送してサブ任務を新たに配分して行うようにする。
【００９４】
本実施例では、主監査人が他地方の監査主管が提出したサブ任務を審査する場合、他地方の補助監査任務がなければ、他地方の監査主管が審査するときには、前記他地方の補助監査人物がフィードバックしたサブ任務を受信し、他地方の監査主管が審査しないときには、他地方の監査主管がフィードバックを完成したことを確定する。主監査人が他地方の監査主管が提出したサブ任務を審査しないとともに全てのサブ任務を提出した場合、主監査人がフィードバックした相応の監査任務の結論を受信する。したがって、携帯端末は、監査任務を能動的に配分することができ、監査の効率及び便利・迅速性を向上させることができる。
【００９５】
さらに、上述の第１実施例〜第５実施例のいずれか実施例のデータ監査装置に基づいて、本発明の第６実施例に係るデータ監査装置を提出し、この実施例においてデータ監査装置は、発送モジュールをさらに備える。
【００９６】
発送モジュールは、前記監査請求に対応する発起者が予め設定の監査人物でない場合、決算報告に関連の保険証券が属する保険契約機関に基づいて行政区域権限がそれに対応する目標の監査人物を取得し、前記監査請求に対応する監査任務を前記目標の監査人物に対応する端末に発送して配分を待機するか、または、目標の監査人物を取得することができなかった場合、前記監査任務を一段階高い行政区域の予め設定の監査人物に発送して配分を行う。
【００９７】
本実施例では、監査管理権限に対して設定を行うことができ、重病保険還付で行われる監査において行政区域権限の管理を例とし、重病保険還付サービスの特殊な政策により、各省、市、区／県において級別ごとに異次元の総合計画政策があり得るので、重病保険システムの還付サービスでは、各地が総合計画する行政区域を単位として、全国で通用できる作業モードを展開して、重病保険システムの各地区での保険契約済みの重病受診の還付サービスを全面的に支持する。監査案件を受付した後、監査案件に対応する被保険者の行政区域に基づいて、各行政区域の担当者が取得して請求書の記入、審査、再審査などの後続の還付作業を行うことによって、従来の組織機関を単位とするデータ権限を管理制御するモードを打破した。組織機関のデータ権限の管理制御力下で管轄する行政区域を個性的に配置するとともに、各機関の行政区域を配置するときには、機関の上下級関係および行政区域の上下級関係に従って配置する必要がある。機関及び行政区域の配置が完了後、監査過程において被保険者の重病保険還付サービスに対する良化及び後続管理を目標として行うことができるように、機関における監査人のデータ権限を、機関が管轄している具体的な行政区域まで細分化する。例えば、各被保険地区の監査管理権限を各機関に配分することができ、同一の機関が同時に複数の行政区域の監査管理権限を持つことができる。
【００９８】
具体的には、各行政区域の監査管理権限を配置した後、携帯端末が受信した監査請求に対応する発起者が監査主管でない場合、決算報告に関連の保険証券が属する保険契約機関に基づいて行政区域権限がそれに対応する目標の監査主管を取得し、前記監査請求に対応する監査任務を前記目標の監査主管に対応する端末に発送して配分を待機する。目標の監査主管を取得することができなかった場合、前記監査任務を一段階高い行政区域の監査主管に発送して配分を行う。
【００９９】
監査主管が監査任務を他地方へ転出して監査を行う場合、この監査任務を、目標の行政区域の監査管理権限を持っている監査主管に対応する端末に直接発送して配分を待機する。ユーザーが監査任務を照会する場合、ユーザーが現在所属の行政区域に基づいてこの行政区域における全ての監査任務の明細情報を照会することができる。
【０１００】
本実施例では、決算報告に関連の保険証券が属する保険契約機関に基づいて行政区域権限がそれに対応する目標の監査主管を取得し、監査任務を目標の監査主管に対応する端末に発送して配分を待機する。または、目標の監査主管を取得することができなかった場合、監査任務を一段階高い行政区域の監査主管に発送して配分を行う。監査人が管轄している行政区域の監査管理権限に対して能動的に配分することができ、監査の便利・迅速性および効率を向上させることができる。
【０１０１】
ハードウェアによる実現について、上述の判断モジュール１００、受信モジュール２００及び実行モジュール３００は、ハードウェアの形式として、データ監査装置に内装、または独立的に設けられることもでき、ソフトウェアの形式として、データ監査装置の記憶装置に記憶されて、処理装置が呼び出して各モジュールに対応する操作を実行することもできる。この処理装置は、中央処理ユニット（ＣＰＵ）、マイクロプロセッサ、シングルチップコンピュータなどであることができる。
【０１０２】
図５は、本発明の実施例に係るハードウェアの実行環境である携帯端末の構成を示す図である。
【０１０３】
本発明の実施例に係る携帯端末は、スマートフォン、タブレット型コンピュータ、電子ブックリーダー、携帯コンピュータなどの表示機能を有する携帯式の端末機器であることができる。
【０１０４】
図５に示したように、この携帯端末は、処理装置１００１、通信バス１００２、記憶装置１００３、通信インターフェイス１００４を備えることができる。通信バスは、これらの部品間を接続して通信を行うためのものである。記憶装置１００３は、高速ＲＡＭメモリであってもよく、ディスクメモリのような不揮発性メモリ（non-volatile memory）であってもよい。記憶装置１００３は、前記処理装置１００１に対して独立した記憶装置であってもよい。通信インターフェイス１００４は、ユーザーインターフェイス（図示せず）及び／またはネットワークインターフェイス（図示せず）であることができ、ユーザーインターフェイスは、例えば表示部やキーボードなどの入力／出力設備の接続のためのものであることができ、ネットワークインターフェイスは、ネットワークの接続のための有線ネットワーク及び／又は無線ネットワークであることができる。
【０１０５】
本分野の技術者であれば、下記のことが分かる。即ち、図５に示した携帯端末の構成は携帯端末に対する限定ではなく、図示したものよりも多いまたは少ない部品を備えるか、または、ある部品同士の組合せ、または、異なる部品配列であることもできる。
【０１０６】
図５に示したように、コンピュータの記憶媒体としての記憶装置１００３は、オペレーティングシステム、ネットワーク通信モジュールおよびデータ監査プログラムを有することができる。
【０１０７】
図５に示された携帯端末において、処理装置１００１は、記憶装置１００３に記憶されているデータ監査プログラムを呼び出して下記のような操作を実行することができる。
【０１０８】
携帯端末に予め設定の監査アプリケーションプログラムを起動し、前記監査アプリケーションプログラムの表示インターフェイスに監査請求が受信されている場合、この監査請求に対応する発起者が予め設定の監査人物であるかを判断する。
【０１０９】
前記監査請求に対応する発起者が予め設定の監査人物であるとともに、前記監査請求に対応する監査任務が予め設定の監査任務である場合、配分指令を受信して前記監査任務に対して配分処理を行う。
【０１１０】
前記監査請求に対応する発起者が予め設定の監査人物であるとともに、前記監査請求に対応する監査任務が予め設定の監査任務でない場合、前記監査任務を転出または配分することを確定した後、前記監査任務に対して相応の転出または配分を行う。
【０１１１】
さらに、処理装置１００１は、記憶装置１００３に記憶されているデータ監査プログラムを実行して下記のような操作を実現することができる。
【０１１２】
配分指令を受信して複数の異なるサブ任務を配分し、配分された前記サブ任務が予め設定の任務であるかを判断する。
【０１１３】
配分された前記サブ任務が予め設定の任務である場合、前記サブ任務に対応する主監査人が監査任務を完成した後、前記主監査人がフィードバックした相応の監査任務の結論を受信する。
【０１１４】
さらに、処理装置１００１は、記憶装置１００３に記憶されているデータ監査プログラムを実行して下記のような操作を実現することができる。
【０１１５】
前記配分された前記サブ任務が予め設定の任務でない場合、前記主監査人がサブ任務を本地方で行うように返送するかを判断する。
【０１１６】
前記主監査人がサブ任務を本地方で行うように返送する場合、補助監査人がフィードバックした監査結果を受信する。
【０１１７】
前記主監査人がサブ任務を本地方で行うように返送しない場合、前記主監査人が行っているサブ任務以外の全てのサブ任務を提出したかを判断し、「いいえ」の場合、サブ任務を全て提出しなかったことに関するプロンプトメッセージを出力し、「はい」の場合、前記主監査人がフィードバックした相応の監査任務の結論を受信する。
【０１１８】
さらに、処理装置１００１は、記憶装置１００３に記憶されているデータ監査プログラムを実行して下記のような操作を実現することができる。
【０１１９】
前記配分された前記サブ任務が予め設定の任務でない場合、前記主監査人がサブ任務を申請するかを判断する。
【０１２０】
前記主監査人がサブ任務を申請する場合、前記主監査人が行っているサブ任務を返送するかを判断し、「はい」の場合、前記主監査人がサブ任務を申請するかを再度判断し、「いいえ」の場合、転出または配分処理を行う。
【０１２１】
前記主監査人がサブ任務を申請しない場合、前記主監査人が行っているサブ任務以外の全てのサブ任務を提出したかを判断し、「いいえ」の場合、サブ任務を全て提出しなかったことに関するプロンプトメッセージを出力し、「はい」の場合、前記主監査人がフィードバックした相応の監査任務の結論を受信する。
【０１２２】
さらに、処理装置１００１は、記憶装置１００３に記憶されているデータ監査プログラムを実行して下記のような操作を実現することができる。
【０１２３】
前記配分された前記サブ任務が予め設定の任務でない場合、前記主監査人が他地方の予め設定の監査人物が提出したサブ任務を審査するかを判断する。
【０１２４】
主監査人が他地方の予め設定の監査人物が提出したサブ任務を審査する場合、他地方の補助監査任務があるかを判断し、「ない」の場合、前記他地方の予め設定の監査人物がフィードバックを完成したことを確定し、「ある」の場合、他地方の予め設定の監査人物が審査するときには、前記他地方の補助監査人物がフィードバックしたサブ任務を受信し、他地方の予め設定の監査人物が審査しないときには、前記他地方の予め設定の監査人物がフィードバックを完成したことを確定する。
【０１２５】
主監査人が他地方の予め設定の監査人物が提出したサブ任務を審査しない場合、前記主監査人が行っているサブ任務以外の全てのサブ任務を提出したかを判断し、「いいえ」の場合、サブ任務を全て提出しなかったことに関するプロンプトメッセージを出力し、「はい」の場合、前記主監査人がフィードバックした相応の監査任務の結論を受信する。
【０１２６】
さらに、処理装置１００１は、記憶装置１００３に記憶されているデータ監査プログラムを実行して下記のような操作を実現することができる。
【０１２７】
前記監査請求に対応する発起者が予め設定の監査人物でない場合、決算報告に関連の保険証券が属する保険契約機関に基づいて行政区域権限がそれに対応する目標の監査人物を取得し、前記監査請求に対応する監査任務を前記目標の監査人物に対応する端末に発送して配分を待機するか、または、目標の監査人物を取得することができなかった場合、前記監査任務を一段階高い行政区域の予め設定の監査人物に発送して配分を行う。
【０１２８】
本発明の実施例では、携帯端末に予め設定の監査アプリケーションプログラムを起動した後、監査アプリケーションプログラムの表示インターフェイスに監査請求が受信されている場合、前記監査請求に対応する発起者が監査主管であるとともに前記監査請求に対応する監査任務が医療巡回であれば、配分指令を受信して前記監査任務に対して配分処理を行う。前記監査請求に対応する発起者が監査主管であるとともに前記監査請求に対応する監査任務が医療巡回でなければ、前記監査任務を転出または配分することを確定した後、前記監査任務に対して相応の転出または配分を行う。したがって、監査人は、携帯端末を持参し監査現場で監査を行うことができ、携帯端末に予め設定の監査アプリケーションプログラムで監査案件をリアルタイムに処理することが可能なので、データ監査の便利・迅速性および効率を向上させることができる。
【０１２９】
本発明は、コンピュータの読取可能な記憶媒体を提供し、このコンピュータの読取可能な記憶媒体は、１つまたは複数のプログラムを記憶し、前記１つまたは複数のプログラムが１つまたは複数の処理装置によって実行されることにより、下記のようなステップを実現することができる。
【０１３０】
携帯端末に予め設定の監査アプリケーションプログラムを起動し、前記監査アプリケーションプログラムの表示インターフェイスに監査請求が受信されている場合、この監査請求に対応する発起者が予め設定の監査人物であるかを判断する。
【０１３１】
前記監査請求に対応する発起者が予め設定の監査人物であるとともに、前記監査請求に対応する監査任務が予め設定の監査任務である場合、配分指令を受信して前記監査任務に対して配分処理を行う。
【０１３２】
前記監査請求に対応する発起者が予め設定の監査人物であるとともに、前記監査請求に対応する監査任務が予め設定の監査任務でない場合、前記監査任務を転出または配分することを確定した後、前記監査任務に対して相応の転出または配分を行う。
【０１３３】
好ましくは、コンピュータの読取可能な記憶媒体は、配分指令を受信して前記監査任務に対して配分するステップを実現するためのプログラムをさらに記憶する。
【０１３４】
配分指令を受信して複数の異なるサブ任務を配分し、配分された前記サブ任務が予め設定の任務であるかを判断する。
【０１３５】
配分された前記サブ任務が予め設定の任務である場合、前記サブ任務に対応する主監査人が監査任務を完成した後、前記主監査人がフィードバックした相応の監査任務の結論を受信する。
【０１３６】
好ましくは、コンピュータの読取可能な記憶媒体は、配分されたサブ任務が予め設定の任務であるかの判断後のステップを実現するためのプログラムをさらに記憶する。
【０１３７】
前記配分された前記サブ任務が予め設定の任務でない場合、前記主監査人がサブ任務を本地方で行うように返送するかを判断する。
【０１３８】
前記主監査人がサブ任務を本地方で行うように返送する場合、補助監査人がフィードバックした監査結果を受信する。
【０１３９】
前記主監査人がサブ任務を本地方で行うように返送しない場合、前記主監査人が行っているサブ任務以外の全てのサブ任務を提出したかを判断し、「いいえ」の場合、サブ任務を全て提出しなかったことに関するプロンプトメッセージを出力し、「はい」の場合、前記主監査人がフィードバックした相応の監査任務の結論を受信する。
【０１４０】
好ましくは、コンピュータの読取可能な記憶媒体は、配分されたサブ任務が予め設定の任務であるかの判断後のステップを実現するためのプログラムをさらに記憶する。
【０１４１】
前記配分された前記サブ任務が予め設定の任務でない場合、前記主監査人がサブ任務を申請するかを判断する。
【０１４２】
前記主監査人がサブ任務を申請する場合、前記主監査人が行っているサブ任務を返送するかを判断し、「はい」の場合、前記主監査人がサブ任務を申請するかを再度判断し、「いいえ」の場合、転出または配分処理を行う。
【０１４３】
前記主監査人がサブ任務を申請しない場合、前記主監査人が行っているサブ任務以外の全てのサブ任務を提出したかを判断し、「いいえ」の場合、サブ任務を全て提出しなかったことに関するプロンプトメッセージを出力し、「はい」の場合、前記主監査人がフィードバックした相応の監査任務の結論を受信する。
【０１４４】
好ましくは、コンピュータの読取可能な記憶媒体は、配分されたサブ任務が予め設定の任務であるかの判断後のステップを実現するためのプログラムをさらに記憶する。
【０１４５】
前記配分された前記サブ任務が予め設定の任務でない場合、前記主監査人が他地方の予め設定の監査人物が提出したサブ任務を審査するかを判断する。
【０１４６】
主監査人が他地方の予め設定の監査人物が提出したサブ任務を審査する場合、他地方の補助監査任務があるかを判断し、「ない」の場合、前記他地方の予め設定の監査人物がフィードバックを完成したことを確定し、「ある」の場合、他地方の予め設定の監査人物が審査するときには、前記他地方の補助監査人物がフィードバックしたサブ任務を受信し、他地方の予め設定の監査人物が審査しないときには、前記他地方の予め設定の監査人物がフィードバックを完成したことを確定する。
【０１４７】
主監査人が他地方の予め設定の監査人物が提出したサブ任務を審査しない場合、前記主監査人が行っているサブ任務以外の全てのサブ任務を提出したかを判断し、「いいえ」の場合、サブ任務を全て提出しなかったことに関するプロンプトメッセージを出力し、「はい」の場合、前記主監査人がフィードバックした相応の監査任務の結論を受信する。
【０１４８】
好ましくは、コンピュータの読取可能な記憶媒体は、前記監査請求に対応する発起者が予め設定の監査人物であるかの判断後のステップを実現するためのプログラムをさらに記憶する。
【０１４９】
前記監査請求に対応する発起者が予め設定の監査人物でない場合、決算報告に関連の保険証券が属する保険契約機関に基づいて行政区域権限がそれに対応する目標の監査人物を取得し、前記監査請求に対応する監査任務を前記目標の監査人物に対応する端末に発送して配分を待機するか、または、目標の監査人物を取得することができなかった場合、前記監査任務を一段階高い行政区域の予め設定の監査人物に発送して配分を行う。
【０１５０】
本分野の技術者であれば、上述の実施例の全部または部分的なステップは、ハードウェアによって実現することもでき、プログラムによって関連のハードウェアを指令して実現することもできる。上記のプログラムは、コンピュータの読取可能な記憶媒体に記憶され、上記の記憶媒体は、読取可能なメモリ、磁気ディスクまたは光ディスクなどであることができる。  
【０１５１】
なお、本文における「備える」、「含む」との用語またはその変形は、非排他的なものも含めることにより、一連の要素の過程、方法、部品または装置を含むだけではなく、明確に列挙しない要素、またはその過程、方法、部品または装置の固有の要素も含む。特に限定しない場合、「・・・を含む」との表現は、その要素の過程、方法、部品または装置に別の同じ要素が存在する可能性を排除することではない。
【０１５２】
上述の本発明の実施例の番号は、説明を行うためのものであり、実施例の優劣を表すためのものではない。
【０１５３】
上述の実施例の説明によれば、ソフトウェアと不可欠な汎用のハードウェアプラットフォームと、または、ハードウェアを介して上述の実施例における方法を実現することは本分野の技術者として自明である。但し、多くの場合、前者がより好ましい実施の形態である。そのうえで、本発明の技術的な本質または従来技術に対して貢献する部分は、ソフトウェア製品の形態で体現され、このソフトウェア製品は記憶媒体（例えば、ＲＯＭ／ＲＡＭ、磁気ディスクや光ディスク）に記憶され、幾つかの指令を含んで、一台の携帯端末で本発明の各実施例に係る方法を実行することができる。
【０１５４】
以上は、本発明の好ましい実施例にすぎず、本発明の特許請求の範囲を限定するのではない。本発明の明細書および図面に基づく等価の設計や変更、または、別の関連分野への直接的または間接的な応用は、本発明の保護範囲に属することは勿論である。
関連出願の相互参照
【０１５５】
本願は、２０１７年０３月１７日に中国専利局に出願された出願番号が「２０１７１０１６９２２９．１」であり、発明の名称が「データ監査方法及び装置」である中国特許出願に基づく優先権を主張し、その全ての開示は完全に本明細書で参照により組み込まれる。
【図１】
2019514108.tif 000003
【図２】
2019514108.tif 000004
【図３】
2019514108.tif 000005
【図４】
2019514108.tif 000006
【図５】
2019514108.tif 000007
【手続補正書】
【提出日】平成30年9月20日(2018.9.20)
【手続補正１】
【補正対象書類名】特許請求の範囲
【補正対象項目名】全文
【補正方法】変更
【補正の内容】
【特許請求の範囲】
【請求項１】
携帯端末に予め設定の監査アプリケーションプログラムを起動し、前記監査アプリケーションプログラムの表示インターフェイスに監査請求が受信されている場合、この監査請求に対応する発起者が予め設定の監査人物であるかを判断するステップと、
前記監査請求に対応する発起者が予め設定の監査人物であるとともに、前記監査請求に対応する監査任務が予め設定の監査任務である場合、配分指令を受信して前記監査任務に対して配分処理を行うステップと、
前記監査請求に対応する発起者が予め設定の監査人物であるとともに、前記監査請求に対応する監査任務が予め設定の監査任務でない場合、前記監査任務を転出または配分することを確定した後、前記監査任務に対して相応の転出または配分を行うステップと、を含むことを特徴とするデータ監査方法。
【請求項２】
前記配分指令を受信して前記監査任務に対して配分処理を行うステップは、
配分指令を受信して複数の異なるサブ任務を配分し、配分された前記サブ任務が予め設定の任務であるかを判断するステップと、
前記配分された前記サブ任務が予め設定の任務である場合、前記サブ任務に対応する主監査人が監査任務を完成した後、前記主監査人がフィードバックした相応の監査任務の結論を受信するステップと、を含むことを特徴とする請求項１に記載のデータ監査方法。
【請求項３】
前記配分された前記サブ任務が予め設定の任務であるかを判断するステップ以降に、
前記配分された前記サブ任務が予め設定の任務でない場合、前記主監査人がサブ任務を本地方で行うように返送するかを判断するステップと、
前記主監査人がサブ任務を本地方で行うように返送する場合、補助監査人がフィードバックした監査結果を受信するステップと、
前記主監査人がサブ任務を本地方で行うように返送しない場合、前記主監査人が行っているサブ任務以外の全てのサブ任務を提出したかを判断し、「いいえ」の場合、サブ任務を全て提出しなかったことに関するプロンプトメッセージを出力し、「はい」の場合、前記主監査人がフィードバックした相応の監査任務の結論を受信するステップと、を含むことを特徴とする請求項２に記載のデータ監査方法。
【請求項４】
前記配分された前記サブ任務が予め設定の任務であるかを判断するステップ以降に、
前記配分された前記サブ任務が予め設定の任務でない場合、前記主監査人がサブ任務を申請するかを判断するステップと、
前記主監査人がサブ任務を申請する場合、前記主監査人が行っているサブ任務を返送するかを判断し、「はい」の場合、前記主監査人がサブ任務を申請するかを再度判断し、「いいえ」の場合、転出または配分処理を行うステップと、
前記主監査人がサブ任務を申請しない場合、前記主監査人が行っているサブ任務以外の全てのサブ任務を提出したかを判断し、「いいえ」の場合、サブ任務を全て提出しなかったことに関するプロンプトメッセージを出力し、「はい」の場合、前記主監査人がフィードバックした相応の監査任務の結論を受信するステップと、を含むことを特徴とする請求項２に記載のデータ監査方法。
【請求項５】
前記配分された前記サブ任務が予め設定の任務であるかを判断するステップ以降に、
前記配分された前記サブ任務が予め設定の任務でない場合、前記主監査人が他地方の予め設定の監査人物が提出したサブ任務を審査するかを判断するステップと、
前記主監査人が他地方の予め設定の監査人物が提出したサブ任務を審査する場合、他地方の補助監査任務があるかを判断し、「ない」の場合、前記他地方の予め設定の監査人物がフィードバックを完成したことを確定し、「ある」の場合、他地方の予め設定の監査人物が審査するときには、前記他地方の補助監査人物がフィードバックしたサブ任務を受信し、他地方の予め設定の監査人物が審査しないときには、前記他地方の予め設定の監査人物がフィードバックを完成したことを確定するステップと、
前記主監査人が他地方の予め設定の監査人物が提出したサブ任務を審査しない場合、前記主監査人が行っているサブ任務以外の全てのサブ任務を提出したかを判断し、「いいえ」の場合、サブ任務を全て提出しなかったことに関するプロンプトメッセージを出力し、「はい」の場合、前記主監査人がフィードバックした相応の監査任務の結論を受信するステップを含むことを特徴とする請求項２に記載のデータ監査方法。
【請求項６】
前記監査請求に対応する発起者が予め設定の監査人物であるかを判断するステップ以降に、
前記監査請求に対応する発起者が予め設定の監査人物でない場合、決算報告に関連の保険証券が属する保険契約機関に基づいて行政区域権限がそれに対応する目標の監査人物を取得し、前記監査請求に対応する監査任務を前記目標の監査人物に対応する端末に発送して配分を待機するか、または、目標の監査人物を取得することができなかった場合、前記監査任務を一段階高い行政区域の予め設定の監査人物に発送して配分を行うステップを含むことを特徴とする請求項１または５に記載のデータ監査方法。
【請求項７】
携帯端末に予め設定の監査アプリケーションプログラムを起動し、前記監査アプリケーションプログラムの表示インターフェイスに監査請求が受信されている場合、この監査請求に対応する発起者が予め設定の監査人物であるかを判断するための判断モジュールと、
前記監査請求に対応する発起者が予め設定の監査人物であるとともに、前記監査請求に対応する監査任務が予め設定の監査任務である場合、配分指令を受信して前記監査任務に対して配分処理を行うための受信モジュールと、
前記監査請求に対応する発起者が予め設定の監査人物であるとともに、前記監査請求に対応する監査任務が予め設定の監査任務でない場合、前記監査任務を転出または配分することを確定した後、前記監査任務に対して相応の転出または配分を行うための実行モジュールと、を備えることを特徴とするデータ監査装置。
【請求項８】
前記受信モジュールは、配分指令を受信して複数の異なるサブ任務を配分し、配分された前記サブ任務が予め設定の任務であるかを判断するための第１判断ユニットと、
前記配分された前記サブ任務が予め設定の任務である場合、前記サブ任務に対応する主監査人が監査任務を完成した後、前記主監査人がフィードバックした相応の監査任務の結論を受信するための第１受信ユニットと、を備えることを特徴とする請求項７に記載のデータ監査装置。
【請求項９】
前記受信モジュールは、前記配分された前記サブ任務が予め設定の任務でない場合、前記主監査人がサブ任務を本地方で行うように返送するかを判断するための第２判断ユニットと、
前記主監査人がサブ任務を本地方で行うように返送する場合、補助監査人がフィードバックした監査結果を受信するための第２受信ユニットと、
前記主監査人がサブ任務を本地方で行うように返送しない場合、前記主監査人が行っているサブ任務以外の全てのサブ任務を提出したかを判断し、「いいえ」の場合、サブ任務を全て提出しなかったことに関するプロンプトメッセージを出力し、「はい」の場合、前記主監査人がフィードバックした相応の監査任務の結論を受信するための第１処理ユニットと、をさらに備えることを特徴とする請求項８に記載のデータ監査装置。
【請求項１０】
前記受信モジュールは、前記配分された前記サブ任務が予め設定の任務でない場合、前記主監査人がサブ任務を申請するかを判断するための第３判断ユニットと、
前記主監査人がサブ任務を申請する場合、前記主監査人が行っているサブ任務を返送するかを判断し、「はい」の場合、前記主監査人がサブ任務を申請するかを再度判断し、「いいえ」の場合、転出または配分処理を行うための第２処理ユニットと、
前記主監査人がサブ任務を申請しない場合、前記主監査人が行っているサブ任務以外の全てのサブ任務を提出したかを判断し、「いいえ」の場合、サブ任務を全て提出しなかったことに関するプロンプトメッセージを出力し、「はい」の場合、前記主監査人がフィードバックした相応の監査任務の結論を受信するための第３処理ユニットと、をさらに備えることを特徴とする請求項８に記載のデータ監査装置。
【請求項１１】
前記受信モジュールは、前記配分された前記サブ任務が予め設定の任務でない場合、前記主監査人が他地方の予め設定の監査人物が提出したサブ任務を審査するかを判断するための第４判断ユニットと、
前記主監査人が他地方の予め設定の監査人物が提出したサブ任務を審査する場合、他地方の補助監査任務があるかを判断し、「ない」の場合、前記他地方の予め設定の監査人物がフィードバックを完成したことを確定し、「ある」の場合、他地方の予め設定の監査人物が審査するときには、前記他地方の補助監査人物がフィードバックしたサブ任務を受信し、他地方の予め設定の監査人物が審査しないときには、前記他地方の予め設定の監査人物がフィードバックを完成したことを確定するための第４処理ユニットと、
主監査人が他地方の予め設定の監査人物が提出したサブ任務を審査しない場合、前記主監査人が行っているサブ任務以外の全てのサブ任務を提出したかを判断し、「いいえ」の場合、サブ任務を全て提出しなかったことに関するプロンプトメッセージを出力し、「はい」の場合、前記主監査人がフィードバックした相応の監査任務の結論を受信するための第５処理ユニットと、をさらに備えることを特徴とする請求項８に記載のデータ監査装置。
【請求項１２】
前記データ監査装置は、前記監査請求に対応する発起者が予め設定の監査人物でない場合、決算報告に関連の保険証券が属する保険契約機関に基づいて行政区域権限がそれに対応する目標の監査人物を取得し、前記監査請求に対応する監査任務を前記目標の監査人物に対応する端末に発送して配分を待機するか、または、目標の監査人物を取得することができなかった場合、前記監査任務を一段階高い行政区域の予め設定の監査人物に発送して配分を行うための発送モジュールをさらに備えることを特徴とする請求項７または１１に記載のデータ監査装置。
【請求項１３】
処理装置および記憶装置を備え、前記記憶装置には、データ監査プログラムが記憶されており、
前記処理装置は、前記データ監査プログラムを実行することにより、請求項１〜６のいずれか１項に記載のステップを実現することができることを特徴とする携帯端末。
【国際調査報告】
2019514108.tif 000008
2019514108.tif 000009
2019514108.tif 000010
2019514108.tif 000011